(57)【特許請求の範囲】
【請求項１】
発光デバイスであって、
基板と、
前記基板内に実装された発光器であって、アノードとカソードとを有する発光器と、
前記アノードに接続された第１のリード線及び第２のリード線と、
前記カソードに接続された第３のリード線及び第４のリード線
とを備え、
前記基板の外側に配置される第１の末端部分であって、直線的に第１の方向に延在する第１の末端部分を、前記第１のリード線が有しており、
前記基板の外側に配置される第２の末端部分であって、直線的に第２の方向に延在する第２の末端部分を、前記第２のリード線が有しており、
前記第１及び第２のリード線が前記アノードに繋がっていることを、前記第１の方向と前記第２の方向との第１の配向関係が示し、
前記基板の外側に配置される第３の末端部分であって、直線的に第３の方向に延在する第３の末端部分を、前記第３のリード線が有しており、
前記基板の外側に配置される第４の末端部分であって、直線的に第４の方向に延在する第４の末端部分を、前記第４のリード線が有しており、
前記第３及び第４のリード線が前記カソードに繋がっていることを、前記第３の方向と前記第４の方向との第２の配向関係が示し、
前記リード線の各々は湾曲部を含み、前記末端部分は該湾曲部から延在し、
前記基板と前記湾曲部との間において、前記リード線の各々は、前記基板の表面と実質的に垂直な方向に延在し、
前記第１乃至第４の方向が各々、前記基板の表面と実質的に平行であり、及び、
前記第１の配向関係は、前記第２の配向関係とは異なる配向関係であることからなる、
発光デバイス。
【請求項２】
前記第１の配向関係及び／又は前記第２の配向関係は、
前記末端部分が両方とも同じ方向へと延在するような配向関係と、
前記末端部分が互いに逆方向へと延在するような配向関係と、
前記末端部分が互いに垂直な方向へと延在するような配向関係と、
前記末端部分が互いに異なる方向へと延在するような配向関係
とのうちの何れかを含む、請求項１に記載の発光デバイス。
【請求項３】
前記末端部分が互いに逆方向へと延在することは、前記末端部分が各々、前記基板に対して実質的に外向きに延在することを含む、請求項２に記載の発光デバイス。
【請求項４】
前記基板が、ノッチを含み、
前記第１及び第２のリード線か、或いは、前記第３及び第４のリード線のうちのどちらか一方が、前記ノッチに最も接近して配置されていることからなる、請求項１乃至３の何れかに記載の発光デバイス。
【発明の詳細な説明】
【背景技術】
【０００１】
多くの発光デバイスは、中に配置され光源として機能する発光ダイオード又は類似のデバイスを有する。発光ダイオードは、発光するために中を通過する順方向の電流を必要とする。このため、発光ダイオードを回路などに接続する場合、極性を正しく行う必要があり、そうしないと発光しない。
【０００２】
多くの発光デバイスには、カソードとアノードを正しく接続するために、それらを示すマーキングがある。しかしながら、発光デバイスが小さくなるにつれて、これらのマーキングを見ることが難しくなり、発光デバイスの接続を間違える可能性がある。
【図面の簡単な説明】
【０００３】
【図１】発光デバイスの実施形態の平面図である。
【図２】図１の発光デバイスの側面図である。
【図３】図１の発光デバイスの底面図である。
【発明を実施するための形態】
【０００４】
発光デバイス１００の平面図が、図１に示されている。この発光デバイス１００は、上に光源１０６が取り付けられた基板１０４を備えている。光源は、発光ダイオード又は類似なものとすることができる。この光源１０６はアノード端子及びカソード端子を有し、これらの端子は光源１０６が発光するために正しい電圧極性を必要とする。この基板１０４は、特定のリード線を位置決めする向きを与えるノッチ１０８を有する。
【０００５】
基板１０４は、その上に配置された電気トレースを有する。図１の発光デバイス１００の実施形態では、基板１０４は、その上に配置された第１のトレース１１０及び第２のトレース１１２を有している。第１のトレース１１０は光源１０６のアノードに接続され、第２のトレース１１２は光源１０６のカソードに接続される。図１の実施形態では、リード線１１４が、光源１０６のカソードを第２のトレース１１２に接続している。
【０００６】
本願で説明される発光デバイス１００は、４つのリード線１２０を有している。発光デバイスは接続される別の数のリード線を有することができることに注意されたい。リード線１２０は別個に、第１のリード線１２２、第２のリード線１２４、第３のリード線１２６、及び第４のリード線１２８と呼ばれる。図１の発光デバイス１００の実施形態では、第１のリード線１２２及び第２のリード線１２４は一緒に接続され、光源１０６のアノードに接続される。第３のリード線１２６と第４のリード線１２８は一緒に接続され、リード線１１４を介して光源１０６のカソードに接続される。
【０００７】
発光デバイス１００の側面図が、図２に示されている。レンズ１３０が基板１０４上に配置されている。このレンズ１３０は、図１の発光器１０６が発した光を方向付ける働きをする。基板１０４上のレンズ１３０とは反対側に取付け部分１３４が位置していて、そこからリード線１２０が伸びている。この取付け部分１３４は実質的に平面であり、発光デバイス１００が最終的に取り付けられる回路基板などに接触するが、接触しないこともある。
【０００８】
リード線１２０は、本願では第１の部分１４０、湾曲部１４２、及び第２の部分１４４を有するものとする。第１の部分１４０は、取付け部分１３４から伸長している。幾つかの実施形態では、この第１の部分１４０は、取付け部分１３４に対して実質的に垂直に伸長する。湾曲部１４２はリード線１２０の方向を変更し、第１の部分１４０と第２の部分１４４との間に存在する。以下に説明するが、第２の部分１４４は、取付け部分１３４に実質的に平行な方向に延びることができる。第２の部分１４４の方向は、湾曲部１４２の方向と呼ばれることがある。
【０００９】
第３のリード線１２６の第２の部分１４４は、第１の軸線１５０に沿って伸長し、また第４のリード線１２８の第２の部分１４４は、第２の軸線１５２に沿って伸長する。この第１の軸線１５０と第２の軸線１５２とは互いに平行であり、また取付け部分１３４に対しても平行にすることができる。リード線１２０の第２の部分１４４は、それぞれ、第１の軸線１５０と第２の軸線１５２に沿って、第１の方向１５４又は第２の方向１５６のどちらかに伸長する。第２の部分１４４の方向により、リード線が図１の発光器１０６のアノードに接続されるか又はカソードに接続されるかについての指示が与えられる。図２に示されている発光デバイスの実施形態では、第３のリード線１２６は第１の方向１５４に向かい、第４のリード線１２８は第２の方向１５６に向いている。逆向きのリード線は、図１の発光器１０６のカソードに接続されているリード線を示している。以下に説明されるように、リード線方向の他の構成も使用することができる。
【００１０】
発光デバイス１００の底面図が図３に示されている。ノッチ１０８は、特定のリード線の位置を識別するように機能する。例えば、ノッチ１０８に最も近いリード線は、一緒に接続される。図示されているように、リード線１２０の第２の部分１４４は種々の方向に伸長している。この実施形態では、リード線１２０の第２の部分１４４が、方向１５４又は方向１５６のいずれかに沿って伸長している。第１のリード線１２２及び第２のリード線１２４の第２の部分１４４は、両方とも第２の方向１５６に伸長している。両方の第２の部分１４４が同じ方向に伸長する場合、それらは図１の光源１０６のカソードに接続される。第３のリード線１２６と第４のリード線１２８の第２の部分１４４は、反対方向に伸長しており、このことは、リード線１２６、１２８が図１の光源１０６のアノードに接続されていることを示している。
【００１１】
リード線を識別する別の実施形態も使用できる。例えば、同じ方向に伸長する第２の部分１４４をアノードに接続し、反対方向に伸長する第２の部分をカソードに接続することができる。別の実施形態では、ある方向に伸長する第２の部分１４４をアノードに接続し、別の方向に伸長する第２の部分１４４をカソードに接続することができる。本願で説明されるリード線１２０が第１の方向１５４又は第２の方向１５６に伸長するように示されており、第１の方向１５４が第２の方向１５６の反対方向であることに注意されたい。他の方向を使用することもできる。例えば、第１の方向１５４は第２の方向１５６の反対方向ではなく、一例として、第２の方向１５６に対して垂直にすることができる。
【００１２】
上記の実施形態を用いて、種々のリード線の構成を使用することができる。これらの幾つかの実施形態では、ノッチ１０８の向きは要求されない。上記の実施形態による図３の実施例を用いて、第３のリード線１２６の第２の部分１４４が第１の方向１５４に伸長しているため、第３のリード線１２６を第１の端子、すなわち、アノードに接続することができる。第１のリード線１２２、第２のリード線１２４、及び第４のリード線１２８の第２の部分１４４が全て第２の方向１５６に伸長し、これはそれらのリード線が第２の端子、すなわち、カソードに接続されることを示す。同様の実施形態では、内側に湾曲する第２の部分１４４が第１の端子に接続され、外側に湾曲する第２の部分１４４が第２の端子に接続される。
【符号の説明】
【００１３】
１００：発光デバイス
１０４：基板
１２０：リード線
１２６：第３のリード線
１２８：第４のリード線
１３０：レンズ
１３４：取付け部分
１４０：第１の部分
１４２：湾曲部
１４４：第２の部分
１５０：第１の軸線
１５２：第２の軸線
１５４：第１の方向
１５６：第２の方向
【図１】
0005235747.tif 000002
【図２】
0005235747.tif 000003
【図３】
0005235747.tif 000004